(57)【特許請求の範囲】
【請求項１】
下本体と、この下本体内に配置され、注水口を備えた第１タンクと、前記第１タンク内の水を送水する送水部と、前記下本体の上方に間隔を置いて配置された上本体と、この上本体内に配置され、前記送水部からの水が貯えられ、第１加熱器により加熱される第２タンクと、前記上本体の底部又は下方に配置され、かつコーヒ粉が収納されるバスケットと、前記第２タンクの湯を前記コーヒ粉へ供給する給湯部と、前記下本体の上に設けられ、抽出されたコーヒ液を受ける容器が載置される載置部とから成るコーヒサーバ。
【請求項２】
前記下本体と上本体とを、下本体の左右両端部に立設された第１，第２側部にて接続し、前記載置部に載置された容器を前記空間の前後方向から取り出せる様に構成した事を特徴とする、請求項１に記載のコーヒサーバ。
【請求項３】
前記下本体又は／及び上本体の前面に第１操作・表示部を設け、同じく後面に第２操作・表示部を設けた事を特徴とする、請求項１〜２に記載のコーヒサーバ。
【請求項４】
前記第１側部と第２側部の何れか一方の内部に電気配線を設け、他方の内部に前記送水部の配管を設けた事を特徴とする、請求項１〜３に記載のコーヒサーバ。
【請求項５】
前記バスケットを支持する支持体を設け、この支持体を前後方向に出し入れ自在に構成した事を特徴とする、請求項１〜４に記載のコーヒサーバ。
【発明の詳細な説明】
【０００１】
【発明の属する技術分野】
本発明はコーヒサーバに関する。
【０００２】
【従来の技術】
従来、この種のコーヒサーバは例えば、特開平５−６４６１５号公報に示されている。この公報によると、水が貯えられるタンクと、タンクから送水される水を加熱する加熱器と、コーヒ粉を収納するバスケットと、コーヒ粉へ湯を供給する給湯部と、抽出されたコーヒ液を受ける容器が載置される載置部とが示されている。
【０００３】
【発明が解決しようとする課題】
上述のコーヒサーバでは、載置部の上方にタンクを配置し、タンクの上方に注水口を設けているので、業務用等の様に、タンクの容量が多い場合は、多量の水を高い位置に持上げて注水するため、注水作業が困難となる第１の欠点が有る。更に、比較的重い、水が入ったタンクが載置部の上方に位置しているため、重心が高く、転倒し易い第２の欠点が有る。
【０００４】
更に、載置部の左側は構造体が設けられているので、載置部の右側からしか、容器を出し入れする事が出来ない。そのため、業務用等の様に、カウンタに置かれた場合、コーヒを作る人と、容器を運ぶ人が同一場所で、容器を扱う事になり二人が同時に作業できない第３の欠点がある。
【０００５】
故に、本発明は、この様な従来の欠点を考慮して、注水作業が容易な、転倒しにくい、複数の人が容器を出し入れし易いコーヒサーバを提供する。
【０００６】
【課題を解決するための手段】
上記課題を解決するために、請求項１の本発明では、下本体と、この下本体内に配置され、注水口を備えた第１タンクと、第１タンク内の水を送水する送水部と、下本体の上方に間隔を置いて配置された上本体と、この上本体内に配置され、送水部からの水が貯えられ、第１加熱器により加熱される第２タンクと、上本体の底部又は下方に配置され、かつコーヒ粉が収納されるバスケットと、第２タンクの湯をコーヒ粉へ供給する給湯部と、下本体の上に設けられ、抽出されたコーヒ液を受ける容器が載置される載置部とから構成して成る。
【０００７】
請求項２の本発明では、下本体と上本体とを、下本体の左右両端部に立設された第１，第２側部にて接続し、前記載置部に載置された容器を前記空間の前後方向から取り出せる様に構成して成る。
【０００８】
請求項３の本発明では、下本体又は／及び上本体の前面に第１操作・表示部を設け、同じく後面に第２操作・表示部を設けて成る。
【０００９】
請求項４の本発明では、第１側部と第２側部の何れか一方の内部に電気配線を設け、他方の内部に送水部の配管を設けて成る。
【００１０】
請求項５の本発明では、バスケットを支持する支持体を設け、この支持体を前後方向に出し入れ自在に構成して成る。
【００１１】
【発明の実施の形態】
以下に、本発明の実施の形態に係るコーヒサーバ１を、図１の斜視図と、図２の正面断面図と、図３の側面断面図に従い、説明する。これらの図に於て、本体２は底板３と、下本体４と、第１側部５と、第２側部６と、上本体７と、蓋８等により構成されている。
【００１２】
底板３は例えば平面から見れば略楕円状に、断面して見れば略凹状に形成されている。下本体４は、上面および下面が開放した筒状に形成され、底板３に固定されている。
【００１３】
第１側部５は、外側板９と、上本体７の左側面と、内側板１０と、下本体４の左側面等から成り、袋状に構成されている。この様に第１側部５は、下本体４の左側と、上本体７の左側とを接続している。
【００１４】
第２側部６は、外側板１１と、上本体７の右側面と、内側板１２と、下本体４の右側面等から成り、袋状に構成されている。この様に第２側部６は、下本体４の右側と、上本体７の右側とを接続している。
【００１５】
上本体７は例えばプラスチックや金属板から成り、上部１３と、中間部１４と底部１５と、前後部１６から構成されている。上部１３と中間部１４と底部１５は共に平板状に形成され、各々、上本体７の上部、中間部、下部に位置している、前後部１６は、上部１３と中間部１４と底部１５に各々つながって形成され、これら各部１３、１４、１５の前後面を被覆して構成する様に形成されている。
【００１６】
蓋８は例えば平面から見れば略楕円状に、断面して見れば略凹状に形成され、上本体７の上面に固定されている。これらの部品により、本体２が構成されている。
【００１７】
第１タンク１７は略密閉した箱状に形成され、その適所に開口（図示せず）が形成され、該開口に注水口１８が接続されている。注水口１８は開閉可能に形成され、その１端は下本体４から突出する様に構成されている。第１タンク１７は比較的、容量が大きくなる様に形成され、例えば、容量が１０リットルである。この様に、使用者は、容器（図示していないが、ボトルや、やかん等）から、注水口１８へ水を注ぐ事により、第１タンク１７には、例えば１０リットルの水が貯えられる。第１タンク１７は、底板３上に載置されている。
【００１８】
第２加熱器１９は、例えば熱板２０とヒータ２１等から成り、例えば平面から見れば略Ｕ字状のヒータ２１が熱板２０内に埋め込まれたものである。第１タンク１７の底面は凹状に形成され、第２加熱器１９は上記凹部に固定されている。
【００１９】
第２タンク２２は略密閉した箱状に形成され、上本体７の上部１３上に載置されている。第２タンク２２は比較的、容量が小さくなる様に形成され、例えば、容量が１リットルである。この様に、第１タンク１７の容量は、第２タンク２２の容量より大きくなる様に、構成されている。
【００２０】
第１加熱器２３は、例えば平面から見れば略Ｕ字状のヒータから成り、第２タンク２２の底面上に固定され、第２タンク２２内の水を加熱する様に、設けられている。
【００２１】
ポンプ２４は水を送水するものであり、その入口は給水管２５に接続され、出口は給水管２６に接続されている。これらのポンプ２４と、給水管２５、２６により、送水部２７が構成されている。この様に、給水管２５の１端はポンプ２４の入口に接続され、他端は第１タンク１７内の下部に位置している。
【００２２】
給水管２６の１端はポンプ２４の出口に接続され、他端は第２タンク２２内に位置すべく設けられている。ポンプ２４を運転する事により、送水部２７は第１タンク１７内の水を送水し、給水管２６を介して、第２タンク２２内に水が貯えられる様に、構成されている。この様に、送水部２７の配管（給水管２６）は、第２側部６内に設けられている。また上述の様に、下本体４は第１タンク１７を覆う様に、上本体７は第２タンク２２を覆う様に、設けられている。連絡管２８の１端は第１タンク内に位置し、他端は第２タンク２２内に位置する様に、連絡管２８は設けられている。
【００２３】
下本体４は上部２９と中間部３０が形成され、上部２９と中間部３０は水平方向に延びる様に、かつ中央部に開口ができる様に、形成されている。仕切板３１は平板であり、中間部３０上に配置されている。
【００２４】
ドレン受３２は断面して見れば、略凹状に形成され、仕切板３１上に配置されている。載置部３３には、所定の間隔を置いて複数の凹状の載置面３４・・が形成されていると共に、これら載置面の略中心部には孔３５・・が穿孔形成されている。上記載置部３３は、下本体４の上部２９に形成された段部及びドレン受３２の上面上に配置され、着脱自在に構成されている。この様に、抽出されたコーヒ液を受ける容器３６（例えばコーヒカップ等）は、載置部３３の載置面３４・・上に各々載置され得る様に構成されている。
【００２５】
上述の様に、第１タンク１７は載置部３３の下方に位置する様に、かつ第２タンク２２は載置部３３の上方に位置する様に、構成されている。また、第１タンク１７の水温は約６０℃位に維持され、第２タンク２２の水温は約９５℃位に維持する様に、第２加熱器１９および第１加熱器２３は制御されている。即ち、第１タンク１７内の水温は、第２タンク２２の水温より低く維持される様に、構成されている。
【００２６】
上記上本体７の中間部１４には、複数の機構部４１・・を所定の間隔を置いて配置固定していると共に、これら機構部の底面に螺旋状に形成された複数のノズル３９ａ、３９ｂ、３９ｃを装着し、これらノズルの１端（先端）は、静止時において、上本体７の底部１５に形成された開口部４０・・の略中心を向く様に構成されている。又上記機構部４１・・には各々電磁弁３７ａ、３７ｂ、３７ｃが連結され、これらの入口は各給湯管３８・・を介して第２タンク２２内に接続され、これら電磁弁の開閉により第２タンク２２内の湯をノズル３９ａ、３９ｂ、３９ｃに供給する様に構成されている。
【００２７】
機構部４１は本体と、駆動部（図示せず）等から構成され、本体は駆動部に接続され、３次元的に移動する様に設けられている。本体の入口は電磁弁３７ａの出口に接続され、本体の出口はノズル３９ａ、３９ｂ、３９ｃの各他端に接続されている。これらの各給湯管３８と、電磁弁３７ａ、３７ｂ、３７ｃと、各機構部４１と、ノズル３９ａ、３９ｂ、３９ｃとにより、各給湯部４２ａ、４２ｂ、４２ｃが構成されている。上述の様に、機構部４１が通電されると、内蔵する駆動部により、ノズル３９ａ、３９ｂ、３９ｃの各先端は例えば渦巻き状に移動する。
【００２８】
上記底部１５には、例えばプラスチックから成る略直方体状の支持体４３・・が、サーバ本体１の前後方向に出し入れ自在に支持されていると共に、これら支持体の略中央部には上記ノズル３９ａ、３９ｂ、３９ｃの各先端に対向位置して開口４４・・が形成され、かつこれら開口４４の上部には後述のバスケットを着脱自在に収納する段部４５が形成されている。また、上記支持体４３・・は、上本体７に形成された案内部４６・・により支持され、これらの案内部は、第１、第２側部５、６に略平行な内側面（傾斜面）と、底部１５に略平行な内底面（水平面）とから構成されている。
【００２９】
そして、支持体４３の外面が、上本体７の案内部４６に沿う様に形成され、上本体７に対し、支持体４３は前後方向に出し入れ自在に支持される様に、構成されている。
【００３０】
バスケット４７は例えば、フィルタ４８と把手４９等から成る。フィルタ４８は例えば布から成り、凹状に形成されている。把手４９は例えば線材から成り、その１端は円状に形成され、フィルタ４８の縁に固定され、他端は突出して形成されている。この様に、フィルタ４８は支持体４３の開口４４に挿入され、把手４９は支持体４３の上面に配置され、バスケット４７は支持体４３に支持されている。
【００３１】
そして、バスケット４７のフィルタ４８には、使用者により、コーヒ粉５０が収納される。電磁弁３７ａ、３７ｂ、３７ｃが通電されると、水通路が開き、給湯部４２ａ、４２ｂ、４２ｃは、第２タンク２２内の湯を、各フィルタ４８内の各コーヒ粉５０へ供給する。
【００３２】
この様に、第１タンク１７を覆う下本体４と、第２タンク２２を覆う上本体７が設けられている。下本体４の左側面に固定され、上本体７の左側面に固定された第１側部５が設けられている。下本体４の右側面に固定され、上本体７の右側面に固定された第２側部６が設けられている。
【００３３】
上述の様に、第１側部５と第２側部６は下本体４の左右両端部に互いに離れて設けられ、下本体４と上本体７と第１側部５と第２側部６とに囲まれた空間（空洞）５１が形成される。この様にして、載置部３３とバスケット４７との間に、前後に貫通する空間５１を構成する事により、容器３６は前側（Ａ方向）及び後側（Ｂ方向）から取り出す事が出来る。
【００３４】
上本体７の前面（空間５１の前側上方）に、第１操作・表示部５２が設けられている。第１操作・表示部５２は、操作及び／又は表示するものであり、例えば操作ボタン５３と、発光ダイオード５４ａ、５４ｂ、５５ａ、５５ｂ、５５ｃ、５５ｄ、５５ｅと、第１基板５６と、第２基板５７等から構成されている。第１基板５６及び第２基板５７は、上本体７の前面の上下に位置して設けられている。
【００３５】
操作ボタン５３が押されると、電磁弁３７ａが通電され、給湯部４２ａにより所定量の湯が供給される様に、構成されている。発光ダイオード５４ａは、例えば、第２タンク２２内の水温が８５℃であり、未だ給湯不可であるスタンバイ状態を、点灯する事により表示する。発光ダイオード５４ｂが点灯する事により、コーヒの抽出が完了した事を示す。また、発光ダイオード５５ａ、５５ｂ、５５ｃ、５５ｄ、５５ｅが順番に、かつ繰返し点滅する事により、コーヒが抽出中である事を示し、抽出が完了したら、点滅は停止する。
【００３６】
第２操作・表示部５８は、上本体７の後面（空間５１の後側上方）に設けられている。第２操作・表示部５８は第１操作・表示部５２と同一の構成であり、操作／及び又は表示するものである。第２操作・表示部５８を構成する第１基板５６及び第２基板５７は、上本体７の後面１６の上下に位置して設けられている。
【００３７】
第３基板５９は例えば、第１基板５６と、第２基板５７と、電磁弁３７ａ、３７ｂ、３７ｃと、第１加熱器２３と、機構部４１等に電気的接続され、上本体７内に配置されている。第４基板６０は例えば、第２加熱器１９と、ポンプ２４と制御部（マイクロコンピュータ等から成るが、図示せず）等に電気的接続され、下本体４内に配置されている。電気配線６１は例えばリード線セットから成り、第３基板５９および第４基板６０に各々、電気的接続されている。電気配線６１は第１側部５内に配置されている。これらの部品により、コーヒサーバ１が構成されている。
【００３８】
次に、このコーヒサーバ１の動作を、再び図１ないし図３に従い説明する。まず使用者（例えばコーヒを作る人）は、ボトルに水を満たし、ボトル内の水を注水口１８に注ぎ、第１タンク１７内に、例えば１０リットルの水を貯える。そして使用者は、バスケット４７が載置された支持体４３を手前へ引出すと、支持体４３は、引出された位置にて、上本体７に支持されている。
【００３９】
それ故、使用者は支持体４３を支持する必要がなく、両手を使え、バスケット４７内にコーヒ粉５０を投入する。そして使用者が支持体４３を押込むと、支持体４３およびバスケット４７は規定の位置に配置される（図１の右側のバスケット４７を参照）。
【００４０】
その後、使用者は運転開始ボタン（図示せず）を押すと、ポンプ２４が通電され、送水部２７により、第１タンク１７内の水は第２タンク２２内に貯えられ（約１リットルだけ）、ポンプ２４への通電は停止する。第２加熱器１９および第１加熱器２３は通電され、制御部により、第１タンク１７内の水温は約６０℃に、第２タンク２２内の水温は約９５℃に維持され、発光ダイオード５４ａが点滅し、給湯可能である事を知らせる。
【００４１】
使用者は、Ａの方向から手を出して、載置部３３上に容器３６を置き、第１操作・表示部５２の操作ボタン５３を押す。電磁弁３７ａは所定時間開き、所定量の湯を供給し、ノズル３９ａの先端は螺旋運動し、湯はバスケット４７内のコーヒ粉５０に、螺旋状に落下し、電磁弁３７ａは閉じ、所定時間、休む。上記動作を数回繰返す事により、コーヒ粉５０は蒸らされ、抽出され、容器３６内に、抽出されたコーヒ液（約１３５ｃｃ）が貯えられる。
【００４２】
この様に、抽出が終わると、第１操作・表示部５２の発光ダイオード５４ｂと第２操作・表示部５８の発光ダイオード５４ｂが点灯し、抽出が終了した事を知らせる。その結果、運ぶ人はＢの方向から手を出して、容器３６を取り出し、コーヒ液が入った容器３６をお客の所まで運ぶ事が出来る。この様に、下本体４と上本体７との間に前後に貫通する空間５１を設け、容器３６の出し入れが前面（Ａ方向）及び後面（Ｂ方向）から可能となる。
【００４３】
その結果、使用者（作る人であり、Ａ側に居る）と、運ぶ人（Ｂ側に居る）が各々の場所から、容器３６の出し入れが可能となる。故に、両者の作業分担による、両者の作業動線が最小となり、作業効率が向上する。また、載置部３３とバスケット４７の間に、前後に貫通する空間５１を設ける事により、お客は、両側からコーヒの抽出の様子を見る事ができ、娯楽性が高まる。
【００４４】
この様にして、コーヒ粉５０が数回抽出されると、使用者は支持体４３を手前へ引出すと、支持体４３は引出された位置にて、上本体７に支持されている。それ故、使用者は両手を使え、バスケット４７を取出し、コーヒ粉５０を捨て、バスケット４７を洗う。その後、使用者はバスケット４７内に新しいコーヒ粉５０を投入し、バスケット４７を支持体４３に収納し、支持体４３を押込み、上述の抽出動作を繰返す。
【００４５】
【発明の効果】
上述の様に、請求項１の本発明では、下本体に第１タンクとその注水口を設け、第１タンクを載置部の下方に設ける事により、製品（コーヒサーバ）の重心が下方に位置して転倒の危険性が減る。また、第１タンクの注水口から注水するので、重い水を高い位置に上げる必要がなく、注水作業が容易となる。
【００４６】
更に、下本体と上本体との間に前後に貫通する空間を設け、下本体の上に容器を載置する載置部を設け、容器をサーバ本体の前後から取り出せる様に構成したことで、例えばサーバ本体をカウンタの上に配置し、カウンタ内にコーヒを作る人が居て、カウンタの外に運ぶ人が居れば、各々の場所から容器の出し入れが可能となり、両者の作業分担による作業動線が最小となり、作業効率が向上する。
【００４７】
請求項２の本発明では、下本体と上本体と第１側部と第２側部とにより空間を構成し、この空間の前後により載置部上に置かれた容器を、サーバ本体の前後から容易に取り出す事が出来る。
【００４８】
請求項３の本発明では、空間の前後に位置して、下本体又は／及び上本体の前後面に第１及び第２操作・表示部を設けることで、これらにてコーヒを作る人も運ぶ人も同時に抽出のタイミング（抽出が完了した事）を知る事が出来るので、運ぶ人は、抽出後すぐにお客にコーヒ入りの容器を提供する事が出来る。
【００４９】
請求項４の本発明では、第１側部内に電気配線を設け、第２側部内に送水部の配管を設けることで、電気配線と送水用の配管とを分離して配置し、水漏れ等による漏電の危険性がなくなる。
【００５０】
請求項５の本発明では、バスケットを支持する支持体を設け、この支持体をサーバ本体の前後方向に出し入れ自在に支持したことで、支持体は支持された状態で引き出されるので、使用者は支持体を支持する必要がない。その結果、使用者は両手を使ってバスケット内にコーヒ粉を投入したり、バスケット内から使用済みのコーヒ粉を取り出したり、バスケットを取り外す作業が容易となる。
【図面の簡単な説明】
【図１】本発明の実施の形態に係るコーヒサーバ１の斜視図である。
【図２】前記コーヒサーバ１の正面断面図である。
【図３】前記コーヒサーバ１の側面断面図である。
【符号の説明】
１７  第１タンク
２２  第２タンク
２３  第１加熱器
２７  送水部
３３  載置部
４２ａ、４２ｂ、４２ｃ  給湯部
【図１】
0003615420.tif 000002
【図２】
0003615420.tif 000003
【図３】
0003615420.tif 000004